(57)【要約】【課題】  遊技機の扉を開けて行う不正行為を防止する。【解決手段】  筐体と、前記筐体に開閉自在に設けられた扉とを備える遊技機において、レール（１５１ａ，１５１ｂ）を扉１３０の周囲に設け、レール（１５０ａ、１５０ｂ）を筐体１２０の開口の周囲に設ける。レール１５０ａ，１５０ｂには扉１３０の開放を検出する扉開放検出センサＳの受光部Ｓ−Ｒａ，Ｓ−Ｒｂを移動可能に設け、レール１５１ａ、１５１ｂにはセンサＳの発光部Ｓ−Ｔａ、Ｓ−Ｔｂを移動可能に設ける。センサの位置を適宜変更することにより、センサに工作を加えるといった不正行為やその器具を無効にできる。【選択図】        図３
2006130118.tif 000002
【特許請求の範囲】
【請求項１】
筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
前記扉の開放を検出する扉開放検出センサと、前記扉開放検出センサを取り付けるためのレールと、前記扉開放検出センサを前記レールに移動可能に取り付ける取り付け機構を備え、前記レールは、前記扉の周囲に設けられるか、又は、前記筐体の開口の周囲に設けられ、前記取り付け機構により前記扉開放検出センサを前記レールの任意の位置に取り付け可能に構成したことを特徴とする遊技機。
【請求項２】
筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
光又は電波の信号を送信する送信部と前記信号を受信する受信部とを含み、前記扉の開放を検出する扉開放検出センサと、前記扉開放検出センサを取り付けるための第１レール及び第２レールと、前記扉開放検出センサの送信部と受信部を前記第１レール及び前記第２レールにそれぞれ移動可能に取り付ける第１取り付け機構及び第２取り付け機構とを備え、前記第１レールは、前記筐体の開口の周囲に設けられ、前記第２レールは、前記扉の周囲に設けられ、前記第１取り付け機構により前記送信部又は前記受信部の一方を前記第１レールの任意の位置に取り付け、前記第２取り付け機構により前記送信部又は前記受信部の他方を前記第２レール上であって、前記扉を閉じた状態で前記第１レールに取り付けられた前記送信部又は前記受信部と対向する位置に取り付けたことを特徴とする遊技機。
【請求項３】
筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
前記扉の開放を検出する扉開放検出センサと、前記扉開放検出センサを取り付けるためのレールと、前記扉開放検出センサを前記レールに沿って移動させるための駆動部とを備え、前記レールは、前記扉の周囲に設けられるか、又は、前記筐体の開口の周囲に設けられ、前記駆動部は、前記扉の開閉、電源の投入又は切断、前記処理部の内部設定の変更を含む予め定められた契機で前記扉開放検出センサを移動させることを特徴とする遊技機。
【請求項４】
筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
光又は電波の信号を送信する送信部と前記信号を受信する受信部とを含み、前記扉の開放を検出する扉開放検出センサと、前記扉開放検出センサを取り付けるための第１レール及び第２レールと、前記扉開放検出センサの送信部と受信部をそれぞれ前記第１レール及び前記第２レールに沿って移動させるための第１駆動部及び第２駆動部とを備え、前記第１レールは、前記筐体の開口の周囲に設けられ、前記第２レールは、前記扉の周囲に設けられ、前記送信部又は前記受信部の一方を前記第１駆動部により前記第１レール上を移動可能に取り付け、前記送信部又は前記受信部の他方を前記第２駆動部により前記第２レール上を移動可能に取り付け、前記第１駆動部又は前記第２駆動部の一方は、前記扉の開閉、電源の投入又は切断、前記処理部の内部設定の変更を含む予め定められた契機で前記扉開放検出センサの前記送信部又は前記受信部を移動させ、前記第１駆動部又は前記第２駆動部の他方は、前記扉を閉じた状態で前記送信部と前記受信部が対向するように前記扉開放検出センサの前記送信部又は前記受信部を移動させることを特徴とする遊技機。
【請求項５】
前記駆動部、前記第１駆動部及び前記第２駆動部の少なくともいずれかは、前記扉開放検出センサの移動量又は移動後の位置をランダムに選択することを特徴とする請求項３又は請求項４記載の遊技機。
【請求項６】
筐体と、前記筐体に開閉自在に設けられた扉と、遊技者の操作を受けて内部抽選及び入賞判定を行うとともに入賞に応じて遊技媒体の払い出し制御を行う処理部と、前記扉の開放を検出する扉開放検出センサと、前記扉開放検出センサを取り付けるためのレールと、前記扉開放検出センサを前記レールに沿って移動させるための駆動部とを備える遊技機において前記扉開放検出センサを自動的に移動させる方法であって、
前記扉の開閉、電源の投入又は切断、前記処理部の内部設定の変更を含む予め定められた契機に該当するかどうか判定するステップと、
前記契機に該当するとき前記扉開放検出センサの移動量又は移動後の位置を決定するステップと、
決定した移動量又は位置に従って前記扉開放検出センサを移動させるステップとを備える遊技機の扉開放検出センサの移動方法。
【請求項７】
筐体と、前記筐体に開閉自在に設けられた扉と、遊技者の操作を受けて内部抽選及び入賞判定を行うとともに入賞に応じて遊技媒体の払い出し制御を行う処理部と、前記扉の開放を検出する扉開放検出センサと、前記扉開放検出センサを取り付けるためのレールと、前記扉開放検出センサを前記レールに沿って移動させるための駆動部とを備える遊技機において前記扉開放検出センサを自動的に移動させる方法をコンピュータに実行させるためのプログラムであって、
前記扉の開閉、電源の投入又は切断、前記処理部の内部設定の変更を含む予め定められた契機に該当するかどうか判定するステップと、
前記契機に該当するとき前記扉開放検出センサの移動量又は移動後の位置を決定するステップと、
決定した移動量又は位置に従って前記扉開放検出センサを移動させるステップとを実行させるためのプログラム。
【発明の詳細な説明】
【技術分野】
【０００１】
この発明は、スロットマシンなどの遊技機に関し、特に不正行為を防止するための遊技機及び遊技機の扉開放検出センサの移動方法並びにプログラムに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に絵柄が揃ったときに賞品としてメダルを払い出すものであるが、絵柄が揃うかどうかは内部のコンピュータによる抽選の結果に従う。また、ビッグボーナス、レギュラーボーナス、小役などのさまざまな賞も内部のコンピュータによる抽選の結果に従う。抽選の処理の内容は所定の範囲内で設定変更が可能であり、遊技機が設置されるホールなどにおいて店側により設定作業が行われる。設定変更は、遊技機の扉を開け、電源部に設けられた設定キースイッチをオンにしつつ電源スイッチをオフからオンにし、設定変更可能なモードに移行した後、設定変更スイッチを押す等の所定の操作手順により行われた。
【特許文献１】特願２００２−３０２７６６「遊技機」
【発明の開示】
【発明が解決しようとする課題】
【０００４】
遊技者のごく一部に不正行為（いわゆるゴト行為）を行う者がいた。例えば、設定操作を不正に行うことにより、遊技機の設定を自己に有利なものに不正に変更する者がいた。また、遊技者に有利になるようにプログラムを不正に変更した記憶装置（ＲＯＭ）に差し替えることも行われているようである。このような不正行為を防止するために、遊技機の扉には鍵が設けられて容易に開閉できないようになっているが、それでも遊技機の扉が不正に開閉されることがある。不正に扉が開放されたことを検知するために、押しボタン式スイッチやフォトインタラプタなどのセンサを遊技機に取り付ける必要がある。しかし、センサでは、それが機能しないように工作されることもあり、不正行為による扉の開放を検知できないこともあった。
【０００５】
この発明は、斯かる不正行為を防止することを目的とし、遊技機の扉の開放を確実に検知できる遊技機の扉開放検出センサの移動方法並びにプログラムを提供することを目的とする。
【課題を解決するための手段】
【０００６】
この発明は、筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
前記扉の開放を検出する扉開放検出センサと、前記扉開放検出センサを取り付けるためのレールと、前記扉開放検出センサを前記レールに移動可能に取り付ける取り付け機構を備え、前記レールは、前記扉の周囲に設けられるか、又は、前記筐体の開口の周囲に設けられ、前記取り付け機構により前記扉開放検出センサを前記レールの任意の位置に取り付け可能に構成したものである。
【０００７】
この発明は、筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
光又は電波の信号を送信する送信部と前記信号を受信する受信部とを含み、前記扉の開放を検出する扉開放検出センサと、前記扉開放検出センサを取り付けるための第１レール及び第２レールと、前記扉開放検出センサの送信部と受信部を前記第１レール及び前記第２レールにそれぞれ移動可能に取り付ける第１取り付け機構及び第２取り付け機構とを備え、前記第１レールは、前記筐体の開口の周囲に設けられ、前記第２レールは、前記扉の周囲に設けられ、前記第１取り付け機構により前記送信部又は前記受信部の一方を前記第１レールの任意の位置に取り付け、前記第２取り付け機構により前記送信部又は前記受信部の他方を前記第２レール上であって、前記扉を閉じた状態で前記第１レールに取り付けられた前記送信部又は前記受信部と対向する位置に取り付けたものである。
【０００８】
この発明は、筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
前記扉の開放を検出する扉開放検出センサと、前記扉開放検出センサを取り付けるためのレールと、前記扉開放検出センサを前記レールに沿って移動させるための駆動部とを備え、前記レールは、前記扉の周囲に設けられるか、又は、前記筐体の開口の周囲に設けられ、前記駆動部は、前記扉の開閉、電源の投入又は切断、前記処理部の内部設定の変更を含む予め定められた契機で前記扉開放検出センサを移動させるものである。
【０００９】
この発明は、筐体と、前記筐体に開閉自在に設けられた扉と、遊技者の操作を受けて内部抽選及び入賞判定を行うとともに、入賞に応じて遊技媒体の払い出し制御を行う処理部とを備える遊技機において、
光又は電波の信号を送信する送信部と前記信号を受信する受信部とを含み、前記扉の開放を検出する扉開放検出センサと、前記扉開放検出センサを取り付けるための第１レール及び第２レールと、前記扉開放検出センサの送信部と受信部をそれぞれ前記第１レール及び前記第２レールに沿って移動させるための第１駆動部及び第２駆動部とを備え、前記第１レールは、前記筐体の開口の周囲に設けられ、前記第２レールは、前記扉の周囲に設けられ、前記送信部又は前記受信部の一方を前記第１駆動部により前記第１レール上を移動可能に取り付け、前記送信部又は前記受信部の他方を前記第２駆動部により前記第２レール上を移動可能に取り付け、前記第１駆動部又は前記第２駆動部の一方は、前記扉の開閉、電源の投入又は切断、前記処理部の内部設定の変更を含む予め定められた契機で前記扉開放検出センサの前記送信部又は前記受信部を移動させ、前記第１駆動部又は前記第２駆動部の他方は、前記扉を閉じた状態で前記送信部と前記受信部が対向するように前記扉開放検出センサの前記送信部又は前記受信部を移動させるものである。
【００１０】
好ましくは、前記扉開放検出センサの移動量又は移動後の位置をランダムに選択する。
【００１１】
この発明は、筐体と、前記筐体に開閉自在に設けられた扉と、遊技者の操作を受けて内部抽選及び入賞判定を行うとともに入賞に応じて遊技媒体の払い出し制御を行う処理部と、前記扉の開放を検出する扉開放検出センサと、前記扉開放検出センサを取り付けるためのレールと、前記扉開放検出センサを前記レールに沿って移動させるための駆動部とを備える遊技機において前記扉開放検出センサを自動的に移動させる方法であって、
前記扉の開閉、電源の投入又は切断、前記処理部の内部設定の変更を含む予め定められた契機に該当するかどうか判定するステップと、
前記契機に該当するとき前記扉開放検出センサの移動量又は移動後の位置を決定するステップと、
決定した移動量又は位置に従って前記扉開放検出センサを移動させるステップとを備えるものである。
【００１２】
この発明は上記方法をコンピュータに実行させるためのプログラムである。
この発明に係るプログラムは、例えば、記録媒体に記録される。
媒体には、例えば、ＥＰＲＯＭデバイス、フラッシュメモリデバイス、フレキシブルディスク、ハードディスク、磁気テープ、光磁気ディスク、ＣＤ（ＣＤ−ＲＯＭ、Ｖｉｄｅｏ−ＣＤを含む）、ＤＶＤ（ＤＶＤ−Ｖｉｄｅｏ、ＤＶＤ−ＲＯＭ、ＤＶＤ−ＲＡＭを含む）、ＲＯＭカートリッジ、バッテリバックアップ付きのＲＡＭメモリカートリッジ、フラッシュメモリカートリッジ、不揮発性ＲＡＭカートリッジ等を含む。
【００１３】
また、電話回線等の有線通信媒体、マイクロ波回線等の無線通信媒体等の通信媒体を含む。インターネットもここでいう通信媒体に含まれる。
【００１４】
媒体とは、何等かの物理的手段により情報（主にデジタルデータ、プログラム）が記録されているものであって、コンピュータ、専用プロセッサ等の処理装置に所定の機能を行わせることができるものである。
【発明の効果】
【００１５】
本発明によれば、扉開放検出センサの取り付け位置を可変にしたので、センサの位置を変更することにより特定の設置位置を狙ってセンサに工作を加えるといった不正行為やその器具を無効にすることができる。すなわち、扉開放検出センサの位置が一定でなくその位置の把握が困難になるので、上記不正行為を抑止することができる。扉開放検出センサの位置を自動的に頻繁に変化させるようにすれば、さらに不正行為を困難にすることができる。
【発明を実施するための最良の形態】
【００１６】
発明の実施の形態１．
この発明の実施の形態に係るスロットマシン及びその不正行為の防止方法について図面を参照して説明する。
【００１７】
図１は前扉を閉めた状態を示すスロットマシンの正面図を示す。
図１はスロットマシン１００を示す。このスロットマシン１００は、図１に示すように、スロットマシン本体１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２のさらに右側には、メダル投入口１３２から投入され、詰まってしまったメダルをスロットマシン１００外に強制的に排出するためのリジェクトボタン１３３が設けられている。
【００１８】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。遊技用のメダルをメダル投入口１３２に投入するか若しくはベットスイッチ１３７の操作を条件に、スタートスイッチ１３４を操作すると３つのリールが回転を開始し、ゲームがスタートする。キャンセルスイッチ（キャンセルボタンとも呼ぶ）１３８は投入済みのメダルの返却を求めるためのものである。
【００１９】
図２はスロットマシン１００の電気的な概略構造を示すブロック図である。この図において電源系統についての表示は省略されている。スロットマシン１００は、その主要な処理装置としてメイン基板（処理部）１とこれからコマンドを受けて動作するサブ基板（副処理部）２とを備える。
【００２０】
メイン基板１は、遊技者の操作を受けて内部抽選を行ったり、リール（回胴）の回転・停止やメダルの払い出しなどの処理を行うためのものである。メイン基板１は、予め設定されたプログラムに従って制御動作を行うＣＰＵと、記憶手段であるＲＯＭおよびＲＡＭを含む。
【００２１】
メイン基板１は、スタートスイッチ１３４及びストップスイッチ１４０の操作に基づき回転リール（回胴）４０の回転及び停止を制御する際に、予め定めた抽選確率に基づいて入賞か否かの入賞判定の抽選を行う図示しない入賞抽選手段を含む。この入賞抽選手段による抽選結果が入賞である場合に入賞フラグが成立し、この入賞フラグ成立中に、回転リール（回胴）４０の停止図柄の組み合わせが予め定められた入賞図柄と一致したことを条件に入賞が確定し、遊技者にメダルの払い出しや、特別遊技等の利益が付与されるように設定されている。
【００２２】
サブ基板２は、メイン基板１からコマンド信号を受けて内部抽選の結果を報知したり各種演出を行うためのものである。サブ基板２は、予め設定されたプログラムに従って制御動作を行うＣＰＵと、記憶手段であるＲＯＭおよびＲＡＭを含む。
【００２３】
サブ基板２はメイン基板１からコマンド信号をうけ、これに従って演出等の処理を行う。コマンド信号の流れはメイン基板１からサブ基板２への一方のみであり、逆にサブ基板２からメイン基板１へコマンド信号等が出されることはない。
【００２４】
メイン基板１には扉開放検出センサＳの信号が入力されている。メイン基板１は、このセンサＳの出力信号に基づき扉の開放を判断し、必要に応じてその旨を報知したり、エラー処理を行う。例えば、扉の開放を示す警報音を吹鳴させたり、ランプ等を点滅させたりする。通常遊技の実行を停止し、この状態をリセットスイッチが操作されるまで保持するようにしてもよい。
【００２５】
メイン基板１にはスタートスイッチ１３４，ストップスイッチ１４０，リール（回胴）駆動部７０，リール（回胴）位置検出回路７１、ホッパー駆動部８０、メダルの貯留と払い出しを行うホッパー８１及びホッパー８１から払い出されたメダルの枚数を数えるためのメダル検出部８２が接続されている。サブ基板２には図示しない液晶表示部の制御基板２００、スピーカ基板２０１、ＬＥＤ基板２０２などの周辺基板（ローカル基板）が接続されている。以下、スタートスイッチ１３４，ストップスイッチ１４０を除く、これらの周辺基板／装置について説明する。
【００２６】
リール（回胴）駆動部７０は、３つのリール（回胴）４０を回転駆動する図示しないステッピングモータを駆動する回路である。各ステッピングモータはリール（回胴）駆動回路７０によって１−２相励磁されており、所定数のパルスの駆動信号が供給されるとそれぞれ１回転する。
【００２７】
リール（回胴）位置検出回路７１は、リール（回胴）４０の近傍に設けられてリール（回胴）４０の回転位置を検出するための図示しないホトセンサから出力パルス信号を受け、３つのリール（回胴）４０それぞれの回転位置を検出し、その検出信号を出力するものである。図示しないホトセンサは各リール（回胴）４０が一回転する毎に各リール（回胴）４０に設けられた遮蔽板を検出してリセットパルスを発生する。このリセットパルスはリール（回胴）位置検出回路７１を介してメイン基板１のＣＰＵに与えられる。メイン基板１のＲＡＭ内には、各リール（回胴）４０について一回転の範囲内における回転位置に対応した計数値が格納されており、ＣＰＵはリセットパルスを受け取ると、ＲＡＭ内に形成されたこの計数値を“０”にクリアする。このクリア処理により、各図柄の移動表示と各ステッピングモータの回転との間に生じるずれが、一回転毎に解消されている。
【００２８】
ホッパー駆動部８０は、メダルを収納するとともに指示された枚数のメダルを払い出すホッパー８１の図示しないモータを駆動する回路である。
【００２９】
メダル検出部８２は、ホッパー８１から払い出されるメダル数を計数するためのものである。メイン基板１のＣＰＵは、このメダル検出部８２から受けた実際に払い出しのあったメダル計数値が所定の配当枚数データに達した時に、ホッパー駆動部８０による駆動を停止させ、メダル払い出しを終了させる。ホッパー駆動回路８０，メダル検出部８２により、遊技の結果に基づいて所定枚数のメダルが遊技者に払い出される。
【００３０】
液晶制御基板２００は、図示しない液晶表示部を駆動するための回路である。
スピーカ基板２０１は、図示しないスピーカを吹鳴駆動するための回路である。
ＬＥＤ基板２０２は、図示しない表示ランプやバックランプを駆動するための回路である。
【００３１】
なお、メイン基板１のＲＯＭには、このスロットマシン１００で実行されるゲーム処理の手順がシーケンスプログラムとして記憶されている他、入賞確率テーブル，シンボル（図柄）テーブルおよび入賞図柄組合せテーブル等がそれぞれ区分されて格納されている。入賞確率テーブルは、抽出された乱数を各入賞態様に区分けするように区分されており、発生する一定範囲の乱数を各入賞態様に区画するデータを記憶している。すなわち、入賞確率テーブルは、取り得る乱数の全領域に対応して、各入賞態様ごとに区分された領域を有するものである。例えば、０〜一定数の範囲を複数に区分し、ひとつの区分（領域）を外れとし、他の区分（領域）を入賞１、入賞２、・・・というように設定する。抽出された乱数データは、乱数の全領域中の各入賞態様ごとに区分された入賞判定領域データそれぞれと照合し、当該抽出乱数データが属する入賞態様に対応する当選が決定される。例えば、抽出された乱数の数値が、入賞確率テーブル５のどの区分（領域）に属するか調べ、その区分が例えば入賞１の区分であれば「入賞１」と判定される。同様に、抽出された乱数の数値が入賞判定テーブル５の外れの区分（領域）に属すれば「外れ」と判定される。抽選処理の評価が例えば外れの場合は所定の図柄が揃わないように設定され（いわゆる蹴飛ばし）、当たりの場合はストップスイッチ１３４が所定のタイミングで押下されることなどを条件に所定の図柄が揃うように設定される（いわゆる引き込み）。そして、所定の図柄が揃えば入賞図柄に相当するメダルが払い出される。各種の入賞はこのような入賞確率テーブルのデータ設定に応じた確率の下で発生するため、遊技者の技量に極端に左右されることなく、例えば１日の営業時間内でのトータル的なメダル支払い率がほぼ一定に維持されている。
【００３２】
図３はスロットマシン筐体の前扉１３０を開けた状態を示す斜視図である。図３の例では、前扉１３０はその上側の部分１３０−１と同下側の部分１３０−２とから構成され、上側の部分１３０−１と同下側の部分１３０−２をそれぞれ独立に開閉できる前扉を示す。図３ではそれら両方を開いた状態を示している。遊技機筐体１２０の右端（前扉のヒンジと反対端）には上下方向に沿って第１レール１５０ａと１５０ｂが設けられている。これらに対し前扉１３０を閉めた状態でそれらに対応するように、前扉１３０の上側の部分１３０−１と同下側の部分１３０−２の左端（前扉のヒンジと反対端）には上下方向に沿って第２レール１５１ａと１５１ｂが設けられている。別の表現をすれば、第１レール１５０ａと１５０ｂは遊技機筐体１２０の開口の周囲に前扉１３０に向けて設けられ、第２レール１５１ａと１５１ｂは前扉１３０の周囲に遊技機筐体１２０の内部に向けて設けられている。
【００３３】
第１レール１５０ａと１５０ｂ，第２レール１５１ａと１５１ｂ上のどの位置にセンサを取り付けても前扉の部分１３０−１と１３０−２の開放検出がそれぞれ可能なように、これらを取り付ける。典型的には図３に示すように前扉１３０の右端内側と遊技機筐体１２０の開口右端に平板や断面Ｌ字形状、断面コ字形状又は断面Ｃ字形状のアングルを取り付ける。この際、前扉１３０−１を閉じた状態で、第１レール１５０ａと第２レール１５１ａが近接しかつ平行になるように配置する。このように配置すればセンサＳをレールの任意の位置に移動させても、その検出感度等を常に同じに保つことができる。前扉１３０−２についても同様である。なお、センサの移動範囲が限定されている場合、少なくともその範囲内の任意の位置で扉の開放検出が可能なようにしておけばよく、図３に示すように前扉１３０−１や１３０−２の全範囲にわたってレールを設ける必要はない。
【００３４】
また、図３において点線で示すように、第２レール１５１ｃと１５１ｄを前扉１３０の上側の部分１３０−１と同下側の部分１３０−２の上端（又は下端）にほぼ水平に設け、これに対応して第１レール１５０ｃと１５０ｄを遊技機筐体１２０の開口にほぼ水平に設けるようにしてもよい。ただし、この場合はセンサの取り付け位置によりセンサの検出感度が変化することがある（センサを右端に配置したときは前扉１３０をわずかに開いたときでも検出できるが、センサを左端に配置したときは前扉１３０を大きく開かないと検出できなくなる）。これに対し、第１レール１５０ａ，１５０ｂや第２レール１５１ａ，１５１ｂのように、レールをほぼ垂直方向に設ける（別の表現をするとヒンジの回転軸にほぼ平行に設ける）ようにすると、センサの取り付け位置にかかわらず検出感度をほぼ同じにできる。検出感度のばらつきを抑える観点からは、第１レール１５０ａ，１５０ｂや第２レール１５１ａ，１５１ｂのような縦方向の配置が好ましい。
【００３５】
第１レール１５０ａと１５０ｂには扉開放検出センサＳの受信部Ｓ−ＲａとＳ−Ｒｂがそれぞれ設けられ、第２レール１５１ａと１５１ｂには扉開放検出センサＳの送信部Ｓ−ＴａとＳ−Ｔｂがそれぞれ設けられている。これらセンサは各レール上を移動可能に取り付けられている（図４参照）。送信部又は受信部の一方を任意の位置に取り付けたら、他方をそれに対応する位置に取り付けるようにする。なお、送信部と受信部を逆に取り付けるようにしてもよい。図３の扉開放検出センサＳは、光又は電波の信号を送信する送信部と前記信号を受信する受信部とを含み、前記受信部の出力信号に基づき前記扉の開放を検出するものである。なお、図３の扉開放検出センサＳは一例であって、他の種類のセンサを使用することができる。例えば機械式のスイッチを用いることもでき、この場合は第１レール１５０又は第２レール１５１のいずれか一方にセンサを設ければよく、レールはひとつで済む（センサの具体例は後述する）。
【００３６】
扉開放検出センサＳの送信部と受信部は、それぞれネジ等を用いた取り付け機構により取り付けられる。図４にその例を示す。図４（ａ）乃至（ｃ）は、第１レール１５０ａ及び／又は１５０ｂにセンサＳ−Ｒａ及び／又はＳ−Ｒｂを取り付けた状態を上側から見た図である。第２レール１５１の取り付け方法も同様であるので、その説明は省略する。
【００３７】
図４（ａ）は断面Ｌ字状のレール１５０にセンサＳ−Ｒを取り付け機構１５２−１と１５２−２を用いて取り付けた状態を示す。取り付け機構１５２−１は断面コの字状の金具であり一方にセンサＳ−Ｒを取り付け、他方にネジ穴を設けてある。金具１５２−１の溝をレール１５０に嵌め込み、前記ネジ穴に取り付けネジ１５２−２をねじ込み、その先端をレール１５０に当てることによりセンサを固定する。ネジ１５２−２を緩めればセンサＳ−Ｒをレールに沿って動かすことができ、任意の位置で再び固定することができる。
【００３８】
図４（ｂ）は断面Ｃ字状のレール１５０にセンサＳ−Ｒを取り付け機構１５２−３で取り付けた状態を示す。取り付け機構１５２−３にはレール１５０の端に嵌め合う溝が設けてあり、これによりセンサＳ−Ｒはレール１５０上を移動することができる。好ましくは、取り付け機構１５２−３の溝に図示しないバネを設け、当該バネで押圧することによりレール１５０との接触抵抗を増やし、センサＳ−Ｒが自然に移動（落下）しないようにする。
【００３９】
図４（ｃ）は断面Ｌ字状のレール１５０にセンサＳ−Ｒを取り付け機構１５２−４と１５２−５を用いて取り付けた状態を示す。板状の取付機構１５２−４にはネジ穴が設けられ、レール１５０を貫通したネジ１５２−４で取り付けられる。好ましくは、レール１５０に予めいくつかの貫通穴を設けておく。この場合、レール１５０の全ての位置でセンサＳ−Ｒを取り付けることができなくなるが、貫通穴を多数設けておけば実用上支障はない。却ってセンサＳ−ＲとセンサＳ−Ｔの位置合わせが容易にできる利点がある（なお、本発明にいう「任意の位置」は、予め設けられた複数の位置（上記貫通穴の位置）のいずれかを選択すること含み、センサの取り付け位置をレールの全範囲に渡って連続的に選択できることのみを意味しない）。
【００４０】
従来の扉開放検出センサの設置場所は固定であった。設置個所が明確であるため不正行為の対象になりやすい。例えば、当該センサが作動しないような器具を用いて不正行為を行う可能性がある。本発明は、扉開放検出センサの位置をカスタマイズ（任意に設定）できるような機構を提供する。具体的には、扉開放検出センサの設置にあたり、上下に移動できるようなレール状の機構を設け、そのレール上であれば自由に扉開放検出センサを移動・固定できるようにした。上記機構により扉開放検出センサの位置を個々の装置ごとに変えることができるのみならず、出荷後にも変更が可能になる。
【００４１】
次に、扉開放検出センサについて説明を加える。送信部と受信部とからなる光電式スイッチ（発光ダイオードとフォトダイオードの組み合わせやフォトインタラプタ）などのセンサは例えば図３に示すように使用する。他にも、マイクロスイッチやリードスイッチなどの機械式スイッチ、扉が開いたときの距離を測るポテンショメータや扉が開いたときの角度を測るロータリエンコーダなどを扉開放検出センサとして用いることができる。
【００４２】
図５（ａ）は機械式スイッチをセンサＳとして取り付けた状態を示す。図５（ａ）は上面図であり、同図においてレール１５０の表示は省略している。前扉１３０が閉じた状態（点線の状態）では、センサＳの可動部Ａが前扉１３０で押し込まれていてスイッチの接点がオンになっているが、前扉１３０が開いた状態（実線の状態）では、センサＳの可動部Ａが突出している（Ａ’の状態）。この状態でスイッチの接点はオフになっている。
【００４３】
図５（ｂ）は光電装置をセンサＳとして取り付けた状態を示す。センサＳは、フォトダイオード等の受光素子Ｓ−ＰＤと、受光素子Ｓ−ＰＤを覆う筒状のケースＳ−ｓと、ケースＳ−ｓの開口を覆う蓋（遮蔽部）Ｓ−ｒとを備える。前扉１３０が閉じた状態（点線の状態）では、センサＳのケースＳ−ｓの開口（前面）が前扉１３０に設けられた蓋（遮蔽部）Ｓ−ｒで覆われているので受光素子Ｓ−ＰＤは光を検出しない（オン状態）。前扉１３０が開いた状態（実線の状態）では受光素子Ｓ−ＰＤの前面は開放され光を検出する（オフ状態）。
【００４４】
図６（ａ）は機械式スイッチをセンサＳとして取り付けるとともに、前扉１３０の内側にワイヤやアームなどの作動部Ｓ−Ｗを設け、その端に作用端Ｓ−Ｗａを設けたものである。前扉１３０を十分に開くと作用端Ｓ−ＷａがスイッチＳの可動部Ａを動かすことにより、スイッチＳはオフ状態になる。可動部Ａは図の矢印方向に付勢されていて、前扉１３０が閉じた状態でオン状態になる。
【００４５】
図６（ｂ）はポテンショメータなどの電気的な変位測定器をセンサＳとして用いたものである。前扉１３０の開閉によりセンサＳの電気的変位（抵抗値、電圧値など）が変化する。この出力をコンパレータで予め定めた基準値と比較することにより、ある一定程度（しきい値）以上前扉１３０が開かれたときにセンサＳがオフ状態になるようにできる。
【００４６】
図６（ａ）（ｂ）によれば、前扉１３０が予め定められた距離又は角度以上開いたことにより開状態を検出するように構成できる。図５（ａ）においてもスイッチの取り付け位置や可動部の長さを調整することにより同様に構成できる。
【００４７】
本発明の実施の形態１によれば、扉開放検出センサの取り付け位置を可変にしたので、個々の遊技機ごとにセンサの位置を変更することにより特定の設置位置を狙ってセンサに工作を加えるといった不正行為やその器具を無効にすることができる。すなわち、扉開放検出センサの位置が一定でなくその位置の把握が困難になるので、上記不正行為を抑止することができる。出荷後においても扉開放検出センサの取り付け位置を変えることができるので、更に効果的である。
【００４８】
発明の実施の形態２．
扉開放検出センサの取り付け位置を可変にするとともに、当該センサを自動的に移動させるようにしてもよい。以下、発明の実施の形態２に係る装置／方法について、図７乃至図９を参照して説明を加える。
【００４９】
図７は発明の実施の形態２に係る遊技機のブロック図を示す。１６０は扉開放検出センサＳを移動させるセンサ駆動部である。センサ駆動部１６０は、センサＳを移動させる契機（タイミング）かどうか判定する移動タイミング判定部１６０ａと、移動する際にセンサＳの移動量を決定する移動量決定部１６０ｂとを備える。センサを任意のタイミングで移動させてもよいが、不正行為防止の観点から扉の開閉の度に移動させることが考えられる。扉を開けたときにセンサＳの位置を盗み見られても、閉じた後にセンサＳが自動的に移動すればセンサＳに対して工作することが困難になるからである。同様に、扉を開けて行う操作である設定変更や電源の入／切のタイミングでセンサＳを移動させるようにしてもよい。
【００５０】
図８はセンサ駆動部１６０の駆動機構の説明図である。図８（ａ）はセンサＳ−Ｒの取り付け状態の正面図である（筐体１２０の表示は省略している）。同図（ｂ）はＡ−Ａ矢視断面図である。センサＳ−Ｒは、断面Ｃ字状のレール１５０に取り付け機構１６０−１で取り付けられる。取り付け機構１６０−１にはレール１５０の端に嵌め合う溝と、ネジ穴が設けてあり、前記溝によりセンサＳ−Ｒはレール１５０上を滑動することができるとともに、前記ネジ穴を貫通するネジ１６０−２により上下に駆動される。ネジ１６０−２はレール１５０全体に渡って設けてあり、例えばレール１５０の上端と下端でそれぞれ回動自在に支持されている。ネジ１６０−２の一端（図の例では上端）にモータＭが取り付けられている。センサ駆動部１６０でモータＭを駆動しネジ１６０−２を回転させることにより、センサＳ−Ｒを任意の位置に止めることが可能である。なお、図８は一例であり、センサの駆動機構として他の機構を使用することもできる。
【００５１】
図９は扉開放検出センサの移動処理のフローチャートである。まず、センサ移動の契機（タイミング）かどうか判定する（Ｓ１）。例えば、前述のように扉の開閉時にセンサＳを移動させるのであれば、前扉の開閉信号、設定変更信号及び／又は電源の入／切信号を監視し、これらに基づき判定を行う。センサを移動させる契機に該当するとき（Ｓ１でＹＥＳ）、移動量又は移動後の位置をランダムに決定する（Ｓ２）。常に一定量移動させたり、予め定められた複数の位置を順番に移動するようにしてもよいが、センサＳの位置の予測を困難にさせるためには、ランダムに決定することが好ましい。決定された移動量又は移動後の位置が移動可能範囲内かどうか調べ（Ｓ３）、移動可能範囲内であれば（Ｓ３でＹＥＳ）、決定した位置にセンサを移動させる（Ｓ４）。移動可能範囲内でなければ（Ｓ３でＮＯ）、決定した移動量又は移動後の位置を破棄し再設定させる（Ｓ５）。センサの移動範囲には制限があるのでその範囲内で好適に移動させるためである。この処理を行わないと、センサが上端又は下端に位置する確率が高くなり、センサの位置を予測しやすくなりかねない。
【００５２】
発明の実施の形態２によれば、扉開放検出センサの位置を自動的に頻繁に変化させることができるので、さらに不正行為を困難にすることができる。
【００５３】
なお、上記説明は１つのレール上でセンサを自動的に移動させる例を説明したが、図３のようにセンサが送信部と受信部に分かれている場合にも適用できる。この場合、図８の駆動機構を第１レールと第２レールそれぞれに設け、送信部と受信部の一方について図９の処理を実行し、それに他方を追従させて送信部と受信部が（扉を閉じた状態において）同じ位置に来るように制御すればよい。
【００５４】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００５５】
【図１】遊技機の正面図である。
【図２】発明の実施の形態１に係る遊技機のブロック図である。
【図３】発明の実施の形態に係る遊技機の扉開放検出センサの取り付け状態を示す斜視図である。
【図４】発明の実施の形態に係る扉開放検出センサをレールに取り付けた状態の説明図である。
【図５】扉開放検出センサの具体例の説明図である。
【図６】扉開放検出センサの具体例の説明図である。
【図７】発明の実施の形態２に係る遊技機のブロック図である。
【図８】発明の実施の形態２に係るセンサ駆動機構の説明図である。
【図９】発明の実施の形態２に係る扉開放検出センサの移動処理のフローチャートである。
【符号の説明】
【００５６】
１  メイン基板（処理部）
２  サブ基板（副処理部）
７０  リール駆動部
７１  リール位置検出回路
８０  ホッパー駆動部
８１  ホッパー
８２  メダル検出部
１００  スロットマシン
１２０  スロットマシン本体（遊技機筐体）
１３０  前扉（扉）
１３１  ゲーム表示部
１３２  メダル投入口
１３３  リジェクトボタン
１３４  スタートスイッチ
１３５  メダル払い出し口
１３７  ベットスイッチ
１３８  キャンセルスイッチ（キャンセルボタン）
１４０  ストップボタン
１５０  第１レール
１５１  第２レール
１５２  センサ取り付け機構
１６０  センサ移動機構
２００  液晶制御基板
２０１  スピーカ基板
２０２  ＬＥＤ基板
Ｓ    扉開放検出センサ
【図１】
2006130118.tif 000003
【図２】
2006130118.tif 000004
【図３】
2006130118.tif 000005
【図４】
2006130118.tif 000006
【図５】
2006130118.tif 000007
【図６】
2006130118.tif 000008
【図７】
2006130118.tif 000009
【図８】
2006130118.tif 000010
【図９】
2006130118.tif 000011